(57)【要約】      （修正有）【課題】多数の検体について評価を行う場合でも、薬剤のスクリーニング作業を簡素化することができ、スクリーニング作業のスループットを向上させることができ、評価の精度を高くすることができる培養用セルの提供。【解決手段】前壁１２、後壁１３、左右の側壁１４、１５及び底壁１６を備え、上端が開放された培養用空間を形成するセル本体１１と、セル本体１１内に配設され、培養用空間を分割することによって、互いに隣接する複数の培養室１８を形成する区画壁１７とを有する。培養用空間が分割され、互いに隣接する複数の培養室１８が形成されるので、薬剤のスクリーニング作業を簡素化することができ、スクリーニング作業のスループットを向上させることができる。複数の検体に対して同時に薬剤をスクリーニングすることができるので、スクリーニングした時点からの経過時間を容易に管理することができ、評価の精度を高くすることができる。【選択図】図１
0003129596.tif 000002
【実用新案登録請求の範囲】
【請求項１】
（ａ）前壁、後壁、左右の側壁及び底壁を備え、上端が開放された培養用空間を形成するセル本体と、
（ｂ）該セル本体内に配設され、前記培養用空間を分割することによって、互いに隣接する複数の培養室を形成する区画壁とを有することを特徴とする培養用セル。
【請求項２】
前記セル本体及び区画壁のうちの少なくともセル本体は、無色、かつ、透明な樹脂によって形成される請求項１に記載の培養用セル。
【請求項３】
前記培養室は、柱状に形成される請求項１に記載の培養用セル。
【請求項４】
前記各側壁に、支持体にセットするための係止部が形成される請求項１に記載の培養用セル。
【請求項５】
前記底壁において、各培養室ごとに開口が形成される請求項１に記載の培養用セル。
【考案の詳細な説明】
【技術分野】
【０００１】
本考案は、培養用セルに関するものである。
【背景技術】
【０００２】
従来、生物、例えば、ショウジョウバエを飼育し、発生、成長、神経系の機能を表す行動等の評価を行う場合、培養用容器内にショウジョウバエを検体として収容し、検体に対して薬剤をスクリーニングするようにしている（例えば、特許文献１参照。）。
【特許文献１】特開２００４−１１３０６１号公報
【考案の開示】
【考案が解決しようとする課題】
【０００３】
しかしながら、前記従来の培養用容器においては、多数の検体について評価を行おうとする場合、薬剤のスクリーニング作業が煩わしいだけでなく、スクリーニング作業のスループットが低下してしまう。また、同時に複数の検体に対して薬剤をスクリーニングすることができないので、スクリーニングした時点からの経過時間を管理するのが困難になり、評価の精度がその分低くなってしまう。
【０００４】
本考案は、前記従来の培養用容器の問題点を解決して、多数の検体について評価を行う場合でも、薬剤のスクリーニング作業を簡素化することができ、スクリーニング作業のスループットを向上させることができ、評価の精度を高くすることができる培養用セルを提供することを目的とする。
【課題を解決するための手段】
【０００５】
そのために、本考案の培養用セルにおいては、前壁、後壁、左右の側壁及び底壁を備え、上端が開放された培養用空間を形成するセル本体と、該セル本体内に配設され、前記培養用空間を分割することによって、互いに隣接する複数の培養室を形成する区画壁とを有する。
【考案の効果】
【０００６】
本考案によれば、培養用セルにおいては、前壁、後壁、左右の側壁及び底壁を備え、上端が開放された培養用空間を形成するセル本体と、該セル本体内に配設され、前記培養用空間を分割することによって、互いに隣接する複数の培養室を形成する区画壁とを有する。
【０００７】
この場合、前記培養用空間が分割され、互いに隣接する複数の培養室が形成されるので、薬剤のスクリーニング作業を簡素化することができ、スクリーニング作業のスループットを向上させることができる。
【０００８】
また、複数の検体に対して同時に薬剤をスクリーニングすることができるので、スクリーニングした時点からの経過時間を容易に管理することができる。したがって、評価の精度を高くすることができる。
【考案を実施するための最良の形態】
【０００９】
以下、本考案の実施の形態について図面を参照しながら詳細に説明する。この場合、ショウジョウバエを飼育するための培養用セルについて説明するが、他の昆虫、細菌、小植物等を飼育したり、培養したりするために培養用セルを使用することができる。
【００１０】
図１は本考案の実施の形態における培養用セルを示す斜視図である。
【００１１】
図において、１０は培養用セル、１１は培養用セルの本体、すなわち、セル本体であり、該セル本体１１は、無色、かつ、透明な材料、本実施の形態においては、ポリスチレン樹脂によって一体に形成される。本実施の形態において、セル本体１１は、ポリスチレン樹脂によって形成されるが、無色、かつ、透明な他の樹脂によって形成したり、ガラスによって形成したりすることができる。前記セル本体１１は、前壁１２、後壁１３、左右の側壁１４、１５及び底壁１６を備え、左右に所定の長さだけ延びる細長い矩（く）形体から成る。
【００１２】
セル本体１１内に上端が開放された培養用空間が形成される。該培養用空間内には、複数、本実施の形態においては、７個の区画壁１７が、底壁１６から立ち上げて、かつ、側壁１４、１５に対して平行に等ピッチで配設されることによって、培養用空間が分割され、前記側壁１４、１５及び区画壁１７によって８個の独立した、同じ大きさの培養室１８が互いに隣接させて形成される。
【００１３】
本実施の形態において、各培養室１８の断面は矩形の形状を有し、垂直方向に十分な長さだけ延在させて、柱状に形成されるが、断面を他の形状に形成することができる。また、本実施の形態においては、区画壁１７はセル本体１１と一体に、かつ、同じ材料で形成されるが、セル本体１１と別体に形成し、必要に応じてセル本体１１に対して着脱自在に配設することができる。
【００１４】
各培養室１８には、生物、例えば、ショウジョウバエが検体として収容され、培養室１８内において、検体を飼育し、発生、成長、神経系の機能を表す行動等を観察し、評価を行うことができる。そのために、前記各培養室１８の底部に、寒天培地、スポンジ等の図示されない培養用のベッドが配設される。
【００１５】
この場合、セル本体１１の全体が、無色、かつ、透明な材料で形成されるので、検体を極めて容易に観察することができる。
【００１６】
なお、ショウジョウバエが前記各培養室１８の上端の開口から逃げてしまうことが考えられるので、前記各開口は所定の図示されない蓋（ふた）体によって閉鎖され、培養室１８が密閉される。この場合、各培養室１８をそれぞれ独立して閉鎖することができるように、各培養室１８ごとの蓋体を配設したり、すべての培養室１８を一括して閉鎖することができるように、すべての培養室１８に共通の蓋体を配設したりすることができる。
【００１７】
ところで、検体を飼育するために、培養室１８内の各検体に対して、定期的に薬剤をスクリーニングする必要がある。そこで、図示されない自動分注ロボットを使用して、前記培養室１８の各開口を介して薬剤を容易に注入することができる。注入された薬剤は、前記ベッドに浸透させられ、保持される。
【００１８】
また、セル本体１１を支持体としての図示されないラックにセットし、セットされた状態で培養室１８内の各検体に対して薬剤をスクリーニングすることができる。そのために、前記側壁１４、１５の上端部に、係止部としての係止突起２１、２２が左右に突出させて一体に形成され、該係止突起２１、２２をラックの被係止部に係止させることによって、セル本体１１をセットすることができる。前記係止突起２１、２２は、側壁１４、１５から左右に向けて突出させられた水平部２３、及び該水平部２３から下方に延びる垂下部２４を備える。
【００１９】
また、例えば、１２個のセル本体１１を互いに隣接させてラックにセットすると、９６個の培養室１８を形成することができる。その場合、９６ウエルプレートと同じ寸法になるので、自動分注ロボットを使用した薬剤の注入を一層容易に行うことができる。
【００２０】
このように、本実施の形態においては、一つのセル本体１１に８個の培養室１８が隣接させて形成されるので、多数の検体について評価を行う場合でも、薬剤のスクリーニング作業を簡素化することができ、スクリーニング作業のスループットを向上させることができる。
【００２１】
また、８個の検体に対して同時に薬剤をスクリーニングすることができるので、スクリーニングした時点からの経過時間を容易に管理することができる。したがって、評価の精度を高くすることができる。
【００２２】
さらに、多数の培養室１８を隣接させて形成することができるので、セル本体１１の占有面積を小さくすることができるだけでなく、スクリーニングされる薬剤の量を極めて少なくすることができるので、飼育のためのコストを低くすることができる。また、各培養室１８の高さを十分に大きくすることができるので、ショウジョウバエの幼虫、成虫等を飼育する場合に、観察を容易に行うことができる。
【００２３】
本実施の形態においては、前記底壁１６は閉鎖されているが、底壁１６において、各培養室１８ごとに開口を形成し、各開口に所定の弁体を着脱自在に配設することができる。そして、所定の弁体を取り外し、開口を開放させた状態でセル本体１１の下端部を薬剤に浸すことによって、弁体が取り外された培養室１８内に所定の量の薬剤を供給することができる。
【００２４】
この場合、複数の培養室１８に対して一括して薬剤を供給することができるので、薬剤のスクリーニング作業を一層簡素化することができる。
【００２５】
また、培養室１８は、ショウジョウバエを飼育するためだけでなく、他の昆虫、細菌、小植物等を飼育したり、培養したりするために使用することができる。
【００２６】
なお、本考案は前記実施の形態に限定されるものではなく、本考案の趣旨に基づいて種々変形させることが可能であり、それらを本考案の範囲から排除するものではない。
【図面の簡単な説明】
【００２７】
【図１】本考案の実施の形態における培養用セルを示す斜視図である。
【符号の説明】
【００２８】
１０    培養用セル
１２    前壁
１３    後壁
１４、１５    側壁
１６    底壁
１７    区画壁
１８    培養室
【図１】
0003129596.tif 000003